(57)【要約】【課題】  内輪と円錐ころとピン型保持器とを組み立てる場合に、小端面側からピンを挿入することができる複列円錐ころ軸受およびこのような軸受を使用した風力発電機の主軸支持構造を提供する。【解決手段】  内輪１２ｂには、小鍔２２ｂから軸方向に延びる内輪突合せ部１８ｂが設けられている。内輪突合せ部１８ｂの一部には、小径側端面１９ｂ側にピンの通過を許容する切り欠き２０ｂが設けられている。切り欠き２０ｂは、内輪突合せ部１８ｂの径方向に貫通しており、その大きさはピン型保持器のピンが通過することができる大きさである。【選択図】      図１
2006349033.tif 000002
【特許請求の範囲】
【請求項１】
外輪と、小鍔と小径側端面との間に内輪突合せ部が設けられ、小径側端面が互いに当接するよう配置された左右の内輪と、外輪と左右の内輪との間に配置された複数の円錐ころと、左右の列において複数の円錐ころの間隔を保持する左右の保持器とを備えた複列円錐ころ軸受であって、
前記各保持器は、各円錐ころを貫通するピンと、各円錐ころの小端面側に突出する複数のピンの一方端を保持して環状に延びる小径側側板と、各円錐ころの大端面側に突出する複数のピンの他方端を保持して環状に延びる大径側側板とを有し、
前記左右の内輪に設けられた内輪突合せ部は、前記ピンの通過を許容する切り欠きを有する、複列円錐ころ軸受。
【請求項２】
風力を受けるブレードと、
その一端が前記ブレードに固定され、ブレードとともに回転する主軸と、
固定部材に組み込まれ、前記主軸を回転自在に支持する複列円錐ころ軸受とを有する風力発電機の主軸支持構造であって、
前記複列円錐ころ軸受は、外輪と、小鍔と小径側端面との間に内輪突合せ部が設けられ、小径側端面が互いに当接するよう配置された左右の内輪と、外輪と左右の内輪との間に配置された複数の円錐ころと、左右の列において複数の円錐ころの間隔を保持する左右の保持器とを備え、
前記各保持器は、各円錐ころを貫通するピンと、各円錐ころの小端面側に突出する複数のピンの一方端を保持して環状に延びる小径側側板と、各円錐ころの大端面側に突出する複数のピンの他方端を保持して環状に延びる大径側側板とを有し、
前記左右の内輪に設けられた内輪突合せ部は、前記ピンの通過を許容する切り欠きを有する、風力発電機の主軸支持構造。
【発明の詳細な説明】
【技術分野】
【０００１】
この発明は、複列円錐ころ軸受および風力発電機の主軸支持構造に関し、特に、大きなラジアル荷重、スラスト荷重およびモーメント荷重を受けることができる複列円錐ころ軸受およびこのような軸受を使用した風力発電機の主軸支持構造に関する。
【背景技術】
【０００２】
風力発電機の主軸に使用される軸受は、ブレードの自重等に対するラジアル荷重、風力に対するスラスト荷重およびモーメント荷重を受ける必要がある。さらには、風力発電機の主軸は片持ちの梁構造であるため、主軸の撓みに対する自動調心性を備えた軸受が求められるため、自動調心ころ軸受および円筒ころ軸受を組み合わせた軸受が使用されていた。図６は、自動調心ころ軸受１０１を風力発電機の主軸に使用した場合の概略図である。図６を参照して、自動調心ころ軸受１０１は、内輪１０２と、左右の列に配置された複数の調心ころ１０３ａ、１０３ｂと、複数の調心ころ１０３ａ、１０３ｂの間隔を保持する保持器１０４と、外輪１０５とを有する。自動調心ころ軸受１０１は、風を受けるブレード１１１が一方端に設けられた主軸１１２に取り付けられ、ハウジング１１３に組み込まれる。このように取り付けられた自動調心ころ軸受１０１と円筒ころ軸受とを組み合わせて、風力発電機の主軸に使用していた。
【０００３】
しかし、上記の二つの転がり軸受を組み合わせた軸受については、部品点数が多く、その削減が求められている。また、軸受の小型化についても要求される。
【０００４】
そのような要求に応じて、自動調心ころ軸受と比較して調心性は劣るものの、一つの軸受で大きなラジアル荷重、スラスト荷重およびモーメント荷重を受けることができる複列円錐ころ軸受が、風力発電機の主軸に使用されている。図７は、複列円錐ころ軸受１２１の断面図の一例である。図７を参照して、複列円錐ころ軸受１２１は、小径側端面１２９ａ、１２９ｂが互いに当接するよう配置された左右の内輪１２２ａ、１２２ｂと、外輪１２４と、内輪１２２ａ、１２２ｂと外輪１２４との間に配置された複数の円錐ころ１２３ａ、１２３ｂと、左右の列において複数の円錐ころ１２３ａ、１２３ｂの間隔を保持する左右の保持器とを有する。
【０００５】
部品点数削減の観点から、複列円錐ころ軸受１２１は、左右の内輪１２２ａ、１２２ｂの間に配置される内輪間座を有しない。その代わりに、左右の内輪１２２ａ、１２２ｂには、従来における内輪間座が配置される位置に、小鍔１３２ａ、１３２ｂから軸方向に延びる内輪突合せ部１２８ａ、１２８ｂが設けられており、小径側端面１２９ａ、１２９ｂは互いに当接する。
【０００６】
各保持器については、大きなラジアル荷重に対する負荷容量を実現するために、円錐ころ１２３ａ、１２３ｂをより多く保持することができるピン型保持器が用いられる。ピン型保持器は、各円錐ころ１２３ａ、１２３ｂを貫通するピン１２５ａ、１２５ｂと、各円錐ころ１２３ａ、１２３ｂの小端面側に突出する複数のピン１２５ａ、１２５ｂの一方端を保持して環状に延びる小径側側板１２７ａ、１２７ｂと、各円錐ころ１２３ａ、１２３ｂの大端面側に突出する複数のピン１２５ａ、１２５ｂの他方端を保持して環状に延びる大径側側板１２６ａ、１２６ｂとを有する。
【０００７】
また、このようなピン型保持器を使用した複列円錐ころ軸受が特開２００３−４９８４３号公報（特許文献１）に開示されており、複列円錐ころ軸受を主軸に使用した風力発電用風車が特開２００５−１０５９１７号公報（特許文献２）に開示されている。
【０００８】
ここで、図７において、右側に位置する内輪１２２ｂと円錐ころ１２３ｂとピン型保持器とを組み立てる方法について説明する。まず、内輪１２２ｂの軌道面１３４ｂに、円錐ころ１２３ｂの転動面が当接するように円錐ころ１２３ｂを取り付け、円錐ころ１２３ｂに設けられた貫通穴に、小端面側からピン１２５ｂを挿入する。そして、大端面側に突出したピン１２５ｂの端部と大径側側板１２６ｂに設けられたねじ穴１３５ｂとの回転軸方向の位置関係を調整し、ねじ穴１３５ｂとピン１２５ｂの端部とを螺合させ、保持する。次に、小端面側に突出したピン１２５ｂの端部と小径側側板１２７ｂに設けられた貫通穴１３６ｂとの回転軸方向の位置関係を調整し、貫通穴１３６ｂにピン１２５ｂの端部を挿通した後、小径側側板１２７ｂから突出したピン１２５ｂの端部を溶接することによりピン１２５ｂを固定し、保持する。なお、図７において、左側に位置する内輪１２２ａと円錐ころ１２３ａとピン型保持器とを組み立てる方法についても、同様である。
【０００９】
ピン１２５ｂの端部を溶接して小径側側板１２７ｂに固定する際に、作業性を向上させる観点から、溶接面、すなわち小端面側を上方とし、かつ、平行な面とする必要があり、図８に示すような状態で溶接作業が行われる。
【特許文献１】特開２００３−４９８４３号公報（段落番号０００８〜０００９、図１）
【特許文献２】特開２００５−１０５９１７号公報（段落番号００２０〜００３９、図２）
【発明の開示】
【発明が解決しようとする課題】
【００１０】
より大きな発電量を得るためには、ブレード１１１がより大きな風を受ける必要があり、そのような環境下においては、主軸１１２を支持する軸受は、より大きなラジアル荷重、スラスト荷重およびモーメント荷重を受ける。より大きなラジアル荷重を受けるためには、上記した複列円錐ころ軸受１２１の円錐ころ１２３ａ、１２３ｂのころ長さをできるだけ大きくする必要がある。また、より大きなスラスト荷重およびモーメント荷重を受けるためには、外輪軌道面と複列円錐ころ軸受１２１の回転軸線とのなす角度である接触角を大きくする必要がある。
【００１１】
図９は、接触角を大きくした場合の複列円錐ころ軸受１２１の断面図である。図９を参照して、外輪軌道面１３１と複列円錐ころ軸受１２１の回転軸線（図示せず）とのなす角度である接触角αを大きくすると、上記した方法により内輪１２２ｂと円錐ころ１２３ｂとピン型保持器を組み立てる場合、円錐ころ１２３ｂに設けられた貫通穴に小端面側からピン１２５ｂを挿入する際に、内輪突合せ部１２８ｂと、図９中の二点鎖線で示すピン１２５ｂの挿入経路１３０ｂとが干渉することになり、円錐ころ１２３ｂに設けられた貫通穴にピン１２５ｂを挿入することができないおそれがある。
【００１２】
この場合、大端面側からピン１２５ｂを挿入することにより、ピン１２５ｂの挿入経路１３０と内輪突合せ部１２８ｂとの干渉を避けることも考えられる。しかし、上記したように、溶接面を上方かつ平行にすることが困難となり、作業性が悪化することになる。さらに、大径側側板１２６ｂに貫通穴、小径側側板１２７ｂにねじ穴を新たに設ける必要があり、労力がかかる。
【００１３】
また、内輪突合せ部１２８ｂの外径を小さくして、内輪突合せ部１２８ｂとピン１２５ｂの挿入経路１３０との干渉を防ぐことも考えられる。しかし、内輪突合せ部１２８ｂは、軸受の組み立て時に、内輪１２２ａから大きな圧力がかかるため、剛性が必要であり、内輪突合せ部１２８ｂの厚みをある程度維持しなければならず、外径を小さくするにも限界がある。
【００１４】
この発明は、内輪と円錐ころとピン型保持器とを組み立てる場合に、小端面側からピンを挿入することができる複列円錐ころ軸受およびこのような軸受を使用した風力発電機の主軸支持構造を提供することを目的とする。
【課題を解決するための手段】
【００１５】
この発明に係る複列円錐ころ軸受は、外輪と、小鍔と小径側端面との間に内輪突合せ部が設けられ、小径側端面が互いに当接するよう配置された左右の内輪と、外輪と左右の内輪との間に配置された複数の円錐ころと、左右の列において複数の円錐ころの間隔を保持する左右の保持器とを備える。上記した保持器は、各円錐ころを貫通するピンと、各円錐ころの小端面側に突出する複数のピンの一方端を保持して環状に延びる小径側側板と、各円錐ころの大端面側に突出する複数のピンの他方端を保持して環状に延びる大径側側板とを有する。ここで、左右の内輪に設けられた内輪突合せ部は、ピンの通過を許容する切り欠きを有する。
【００１６】
このように構成することにより、内輪と円錐ころとピン型保持器とを組み立てる場合、小端面側から円錐ころに設けられた貫通穴にピンを挿入する際に、内輪突合せ部に設けられた切り欠きを利用してピンを挿入することができ、内輪突合せ部とピンの挿入経路とが干渉することがない。同様にして、複数のピンを他の複数の円錐ころの貫通穴に挿入することができる。
【００１７】
この発明の他の局面においては、風力発電機の主軸支持構造は、風力を受けるブレードと、その一端がブレードに固定され、ブレードとともに回転する主軸と、固定部材に組み込まれ、主軸を回転自在に支持する複列円錐ころ軸受とを有する風力発電機の主軸支持構造である。上記した複列円錐ころ軸受は、外輪と、小鍔と小径側端面との間に内輪突合せ部が設けられ、小径側端面が互いに当接するよう配置された左右の内輪と、外輪と左右の内輪との間に配置された複数の円錐ころと、左右の列において複数の円錐ころの間隔を保持する左右の保持器とを備える。上記した各保持器は、各円錐ころを貫通するピンと、各円錐ころの小端面側に突出する複数のピンの一方端を保持して環状に延びる小径側側板と、各円錐ころの大端面側に突出する複数のピンの他方端を保持して環状に延びる大径側側板とを有する。ここで、左右の内輪に設けられた内輪突合せ部は、ピンの通過を許容する切り欠きを有する。
【００１８】
このように構成することにより、内輪と円錐ころとピン型保持器とを組み立てる場合に、ピンの挿入経路と内輪突合せ部とを干渉させることなく、接触角を大きくすることができるため、より大きなスラスト荷重およびモーメント荷重を受けることができる風力発電機の主軸支持構造を提供することができる。
【発明の効果】
【００１９】
この発明によれば、内輪と円錐ころとピン型保持器を組み立てる場合、内輪に取り付けた円錐ころの貫通穴にピンを挿入する際に、内輪突合せ部に設けた切り欠きをピンの挿入経路とすることにより、内輪突合せ部と干渉することなく、ピンを挿入することができる。また、同様にして、複数のピンの挿入経路を確保することができる。
【００２０】
また、そのような複列円錐ころ軸受を風力発電機の主軸支持軸受に使用すれば、ピンの挿入経路を確保しながら、接触角を大きくすることができるので、より大きなスラスト荷重およびモーメント荷重を受けることができる。
【発明を実施するための最良の形態】
【００２１】
以下、この発明の実施の形態を図面を参照して説明する。図１（Ａ）は、この発明の一実施形態に係る複列円錐ころ軸受１１に含まれる内輪１２ｂの図解的断面図である。図１（Ｂ）は、図１（Ａ）を矢印Ｘの方向から見た図の一部である。図１（Ａ）、図１（Ｂ）を参照して、内輪１２ｂは、円錐ころの大端面を案内する大鍔２１ｂと、円錐ころの小端面を案内する小鍔２２ｂと、円錐ころを転動させる軌道面２３ｂとを有する。
【００２２】
内輪１２ｂには、小鍔２２ｂから軸方向に延びる内輪突合せ部１８ｂが設けられている。軸受の組み込み時には、小径側端面１９ｂは対向する内輪の小径側端面と当接し、圧力がかかるため、内輪突合せ部１８ｂには、その圧力に耐えるだけの剛性が必要であり、ある程度の肉厚、すなわち、径方向にある程度の厚みが必要である。内輪突合せ部１８ｂの一部には、小径側端面１９ｂ側にピンの通過を許容する切り欠き２０ｂが設けられている。切り欠き２０ｂは、内輪突合せ部１８ｂの径方向に貫通しており、その大きさは後述するピン型保持器のピンが通過することができる大きさである。
【００２３】
図２は、図１（Ａ）および図１（Ｂ）に示した内輪１２ｂを含む複列円錐ころ軸受１１を表した断面図である。図２を参照して、複列円錐ころ軸受１１は、小径側端面１９ａ、１９ｂが互いに当接するよう配置された左右の内輪１２ａ、１２ｂと、左右の内輪１２ａ、１２ｂに対応する軌道面を有する外輪１４と、内輪１２ａ、１２ｂと外輪１４の間に配置された複数の円錐ころ１３ａ、１３ｂと、左右の列において複数の円錐ころ１３ａ、１３ｂの間隔を保持する左右の保持器とを有する。なお、ここで、内輪１２ａは、１２ｂと同じ構成であり、内輪突合せ部１８ａの一部には、小径側端面１９ａ側にピンの通過を許容する切り欠き２０ａが設けられている。
【００２４】
内輪１２ａ、１２ｂは、大きなスラスト荷重およびモーメント荷重を受けるため、外輪軌道面と複列円錐ころ軸受１１の回転軸線（図示せず）とのなす角度である接触角が大きく構成されている。好ましくは、接触角は４０°〜４７°の範囲内に設定されている。
【００２５】
外輪１４は、中央部が径方向に凸状の断面形状をしており、内輪１２ａ、１２ｂとの間に複数の円錐ころ１３ａ、１３ｂを保持している。本実施形態では、外輪１４は一つで構成されているが、内輪１２ａ、１２ｂに対してそれぞれ別個の外輪が設けられていてもよい。
【００２６】
円錐ころ１３ａ、１３ｂは、外輪１４と内輪１２ａ、１２ｂとの間に配置されている。また、後述するピン型保持器による保持を可能にするため、円錐ころ１３ａ、１３ｂには、小端面から大端面にかけてピンを挿通するための貫通穴が設けられている。
【００２７】
保持器は、円錐ころ１３ａ、１３ｂをより多く保持することができるピン型保持器を使用している。左右の各保持器は、各円錐ころ１３ａ、１３ｂを貫通するピン１５ａ、１５ｂと、各円錐ころ１３ａ、１３ｂの小端面側に突出する複数のピン１５ａ、１５ｂの一方端を保持する小径側側板１７ａ、１７ｂと、各円錐ころ１３ａ、１３ｂの大端面側に突出する複数のピン１５ａ、１５ｂの一方端を保持する大径側側板１６ａ、１６ｂとを有する。
【００２８】
小径側側板１７ａ、１７ｂおよび大径側側板１６ａ、１６ｂのいずれも回転軸線を中心に環状に延びており、リング状である。小径側側板１７ａ、１７ｂは内輪１２ａ、１２ｂの小鍔側に配置されており、大鍔側に配置された大径側側板１６ａ、１６ｂよりも内径が小さい。また、小径側側板１７ａ、１７ｂおよび大径側側板１６ａ、１６ｂは、いずれも多量のピン１５ａ、１５ｂを保持するため、一定の剛性が必要である。剛性や生産性等の観点から、小径側側板１７ａ、１７ｂおよび大径側側板１６ａ、１６ｂの断面形状は四角形状であることが好適である。ここで、剛性等を確保することができれば、断面形状が円状や楕円状等、他の形状の小径側側板１７ａ、１７ｂおよび大径側側板１６ａ、１６ｂであっても、特に問題はない。
【００２９】
大径側側板１６ａ、１６ｂには、大端面側に突出したピン１５ａ、１５ｂの他方端を保持するための複数のねじ穴２６ａ、２６ｂが、円錐ころ１３ａ、１３ｂを保持する間隔で円周方向に設けられている。ねじ穴２６ａ、２６ｂと円錐ころ１３ａ、１３ｂを挿通したピン１５ａ、１５ｂの端部が螺合することにより、大径側側板１６ａ、１６ｂにピン１５ａ、１５ｂが保持され、固定される。
【００３０】
また、小径側側板１７ａ、１７ｂには、小端面側に突出したピン１５ａ、１５ｂの一方端が挿通することができる直線状の貫通穴２７ａ、２７ｂが設けられている。この貫通穴２７ａ、２７ｂを挿通して小径側側板１７ａ、１７ｂとピン１５ａ、１５ｂの端部とが溶接されることにより、小径側側板１７ａ、１７ｂに保持され、固定される。
【００３１】
内輪１２ｂと円錐ころ１３ｂとピン型保持器とを組み立てる場合について説明すると、まず、内輪１２ｂの軌道面２３ｂに、円錐ころ１３ｂの転動面が当接するように円錐ころ１３ｂを取り付け、小端面側からピン１５ｂを挿入する。ここで、図２中、二点鎖線で示すピン１５ｂを挿入する挿入経路２５ｂは、内輪突合せ部１８ｂに設けられたピン１５ｂの通過を許容する切り欠き２０ｂにより確保されている。ピン１５ｂの挿入後、大端面側に突出したピン１５ｂの端部と大径側側板１６ｂに設けられたねじ穴２６ｂとの回転軸方向の位置関係を調整し、ねじ穴２６ｂとピン１５ｂの端部とを螺合させる。次に、小端面側に突出したピン１５ｂの端部と小径側側板１７ｂに設けられた貫通穴２７ｂとの回転軸方向の位置関係を調整し、貫通穴２７ｂにピン１５ｂの端部を挿通した後、小端面側を上方として、小径側側板１７ｂから突出したピン１５ｂの端部を溶接することにより固定する。なお、内輪１２ａと円錐ころ１３ａとピン型保持器とを組み立てる場合も同様である。
【００３２】
こうすることにより、内輪１２ａ、１２ｂと円錐ころ１３ａ、１３ｂとピン型保持器を組み立てる場合、小端面側からピン１５ａ、１５ｂを挿入する際に、内輪突合せ部１８ａ、１８ｂに設けられたピン１５ａ、１５ｂの通過を許容する切り欠き２０ａ、２０ｂにより、ピン１５ａ、１５ｂの挿入経路２５ａ、２５ｂが確保される。したがって、内輪突合せ部１８ａ、１８ｂとピン１５ａ、１５ｂの挿入経路２５ａ、２５ｂとが干渉することがない。また、同様にして、切り欠き２０ａ、２０ｂを、他の複数のピンの挿入経路とすることができる。
【００３３】
なお、先の実施の形態においては、切り欠き２０ａ、２０ｂの形状については軸方向に垂直に設けられ、径方向に貫通していたが、これに限らず、ピンの通過を許容できれば、軸方向に垂直に設けられていなくてもよいし、径方向に貫通していなくてもよい。
【００３４】
図３（Ａ）は、この場合の内輪５０ｂの図解的断面図であり、図３（Ｂ）は、図３（Ａ）を矢印Ｙの方向から見た図の一部である。図３（Ａ）、図３（Ｂ）を参照して、内輪５０ｂは、円錐ころの大端面を案内する大鍔５４ｂと、円錐ころの小端面を案内する小鍔５５ｂと、円錐ころを転動させる軌道面５６ｂとを有する。内輪５０ｂには、小鍔５５ｂから軸方向に延びる内輪突合せ部５１ｂが設けられており、その一部には、小径側端面５２ｂ側にピンの通過を許容する切り欠き５３ｂが設けられている。
【００３５】
切り欠き５３ｂは、軸方向に対して垂直ではなく、ピン１５ｂの通過を許容できるある程度の角度をもっており、径方向に貫通していない。しかし、切り欠き５３ｂにより、ピン１５ｂの挿入経路２５ｂは確保される。こうすることにより、内輪突合せ部５１ｂを必要以上に切り欠き部分を設ける必要はなく、内輪突合せ部５１ｂの剛性を維持することができる。
【００３６】
また、先の実施の形態においては、切り欠き２０ａ、２０ｂ、５３ｂは内輪突合せ部１８ａ、１８ｂ、５１ｂに一つだけ有することとしたが、これに限らず、切り欠き２０ａ、２０ｂ、５３ｂは内輪突合せ部１８ａ、１８ｂ、５１ｂに複数有することにしてもよい。こうすることにより、ピン１５ａ、１５ｂを貫通穴に挿入する際に、より最適な位置の切り欠きを利用して、ピン１５ａ、１５ｂを挿入することができる。
【００３７】
図４および図５は、上記した複列円錐ころ軸受を主軸支持軸受３５として適用した、風力発電機の主軸支持構造の一例を示している。主軸支持構造の主要部品を支持するナセル３２のケーシング３３は、高い位置で、旋回座軸受３１を介して支持台３０上に水平旋回自在に設置されている。風力を受けるブレード３７を一端に固定する主軸３６は、ナセル３２のケーシング３３内で、軸受ハウジング３４に組み込まれた主軸支持軸受３５を介して、回転自在に支持されている、主軸３６の他端は増速機３８に接続され、この増速機３８の出力軸が発電機３９のロータ軸に結合されている。ナセル３２は、旋回用モータ４０により、減速機４１を介して任意の角度に旋回させられる。
【００３８】
軸受ハウジング３４に組み込まれた主軸支持軸受３５は、この発明の一実施形態に係る複列円錐ころ軸受であって、外輪と、小鍔と小径側端面との間に内輪突合せ部が設けられ、小径側端面が互いに当接するよう配置された左右の内輪と、外輪と左右の内輪との間に配置された複数の円錐ころと、左右の列において複数の円錐ころの間隔を保持する左右の保持器とを備える。上記した各保持器は、各円錐ころを貫通するピンと、各円錐ころの小端面側に突出する複数のピンの一方端を保持して環状に延びる小径側側板と、各円錐ころの大端面側に突出する複数のピンの他方端を保持して環状に延びる大径側側板とを有する。ここで、上記した左右の内輪に設けられた内輪突合せ部は、ピンの通過を許容する切り欠きを有する。
【００３９】
主軸支持軸受３５を、このような構成の複列円錐ころ軸受にすることにより、内輪と円錐ころとピン型保持器を組み立てる場合、内輪突合せ部とピンの挿入経路とが干渉することがない。したがって、主軸支持軸受３５は、ピンの挿入経路を確保しながら、接触角を大きくすることができるため、より大きなスラスト荷重およびモーメント荷重を受けることができる。その結果、より大きなスラスト荷重およびモーメント荷重を受けることができる風力発電機の主軸支持構造を提供することができる。
【００４０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４１】
この発明に係る複列円錐ころ軸受および風力発電機の主軸支持構造は、内輪と円錐ころとピン型保持器を組み立てる場合、ピンの挿入経路を確保しながら、接触角を大きくすることができるため、特に、大きなスラスト荷重およびモーメント荷重を受ける複列円錐ころ軸受および風力発電機の主軸支持構造に有効に利用できる。
【図面の簡単な説明】
【００４２】
【図１】この発明の一実施形態に係る複列円錐ころ軸受１１に含まれる内輪１２ｂの図解的断面図である。
【図２】図１に示した内輪１２ｂを含む複列円錐ころ軸受１１を表した断面図である。
【図３】この発明の他の実施形態に係る複列円錐ころ軸受に含まれる内輪５０ｂの図解的断面図である。
【図４】この発明に係る複列円錐ころ軸受を用いた風力発電機の主軸支持構造の一例を示す図である。
【図５】図４に示した風力発電機の主軸支持構造の図解的側面図である。
【図６】自動調心ころ軸受１０１を風力発電機の主軸に使用した場合の概略図である。
【図７】従来における複列円錐ころ軸受１２１の一例を示す断面図である。
【図８】従来におけるピン１２５ｂを小径側側板１２７ｂに固定する際の溶接作業を行う場合の断面図である。
【図９】従来における接触角が大きい場合の複列円錐ころ軸受１２１を示す断面図である。
【符号の説明】
【００４３】
１１  複列円錐ころ軸受、１２ａ，１２ｂ，５０ｂ  内輪、１３ａ，１３ｂ  円錐ころ、１４  外輪、１５ａ，１５ｂ  ピン、１６ａ，１６ｂ  大径側側板、１７ａ，１７ｂ  小径側側板、１８ａ、１８ｂ，５１ｂ  内輪突合せ部、１９ａ，１９ｂ，５２ｂ  小径側端面、２０ａ，２０ｂ，５３ｂ  切り欠き、２１ｂ，５４ｂ  大鍔、２２ｂ，５５ｂ  小鍔、２３ｂ，５６ｂ  軌道面、２５ａ，２５ｂ  挿入経路、２６ａ，２６ｂ  ねじ穴、２７ａ，２７ｂ  貫通穴、３０  支持台、３１  旋回座軸受、３２  ナセル、３３  ケーシング、３４  軸受ハウジング、３５  主軸支持軸受、３６  主軸、３７  ブレード、３８  増速機、３９  発電機、４０  旋回用モータ、４１  減速機。
【図１】
2006349033.tif 000003
【図２】
2006349033.tif 000004
【図３】
2006349033.tif 000005
【図４】
2006349033.tif 000006
【図５】
2006349033.tif 000007
【図６】
2006349033.tif 000008
【図７】
2006349033.tif 000009
【図８】
2006349033.tif 000010
【図９】
2006349033.tif 000011